(57)【要約】【課題】払込票を汚損することなく商品明細書とともに一体化して配送することができる配送伝票を提供する。【解決手段】第１の剥離基材部２１、第１の情報基材部２２、結合基材部２３、第２の情報基材部２４、封緘基材部２５及び伝票基材部２６が連接した第１のシート状基材２０と、第１の剥離基材部２１の片面に設けられた剥離層２１−１を介して設けられた第１の接着層４１と、第１の情報基材部２２の第１の接着層４１と同じ側に設けられた第１の擬似接着層４２と、結合基材部２３の第１の接着層４１と同じ側に設けられた第２の接着層４３と、第２の情報基材部２４及び封緘基材部２５の第１の接着層４１と同じ側に設けられた第２の擬似接着層４４と、伝票基材部２６の第１の接着層４１と同じ側に設けられた第３の接着層４５、４６と、各接着層を介して第１のシート状基材２０に貼付される第２のシート状基材５０及び第３のシート状基材６０とを備える。【選択図】図１
2008012692.tif 000002
【特許請求の範囲】
【請求項１】
第１の剥離基材部、第１の情報基材部、結合基材部、第２の情報基材部、封緘基材部及び伝票基材部が連接し、前記第１及び第２の情報基材部の片面に情報表示部を有した第１のシート状基材と、
前記第１の剥離基材部の前記情報表示部とは反対側に設けられた剥離層を介して設けられた第１の接着層と、
前記第１の情報基材部の前記情報表示部とは反対側に設けられた第１の擬似接着層と、
前記結合基材部の前記情報表示部とは反対側に設けられた第２の接着層と、
前記第２の情報基材部及び前記封緘基材部の前記情報表示部とは反対側に設けられた第２の擬似接着層と、
前記伝票基材部の前記情報表示部とは反対側に設けられた第３の接着層と、
前記第１の接着層、前記第１の擬似接着層及び前記第２の接着層に貼り合わされる第２のシート状基材と、
前記第２の擬似接着層及び前記第３の接着層に貼り合わされる第３のシート状基材と、
を備える配送伝票。
【請求項２】
請求項１に記載の配送伝票において、
前記第１の剥離基材部を前記剥離層により前記第２のシート状基材から剥がし、前記第１の情報基材部及び前記結合基材部と、前記第２の情報基材部及び封緘基材部とを、前記情報表示部を隠蔽するように折り重ねて、前記第１の接着層により封緘する第１の形態をとること、
を特徴とする配送伝票。
【請求項３】
請求項２に記載の配送伝票において、
前記第１の形態の折り重ねた前記第１の情報基材部、前記結合基材部、前記第２の情報基材部及び前記封緘基材部を、前記第３のシート状基材から剥がし、前記第１の接着層により接着された前記第２のシート状基材の一部及び前記封緘基材部を切り取り、前記第１及び第２の情報基材部を見開いて、前記第１の情報基材部を前記第２のシート状基材から剥離する第２の形態をとること、
を特徴とする配送伝票。
【請求項４】
請求項１から請求項３までのいずれか１項に記載の配送伝票において、
前記伝票基材部は、配達票及び貼付票を備えること、
を特徴とする配送伝票。
【請求項５】
請求項４に記載の配送伝票において、
前記配達票に設けられた第３の接着層は、擬似接着層であり、
前記貼付票に設けられた第３の接着層は、強接着層であること、
を特徴とする配送伝票。
【請求項６】
請求項１から請求項５までのいずれか１項に記載の配送伝票において、
前記第３のシート状基材はタックシートであること、
を特徴とする配送伝票。
【請求項７】
請求項１から請求項６までのいずれか１項に記載の配送伝票において、
前記第１の情報基材部は、払込票及び／又は商品明細書であり、
前記第２の情報基材部は、払込票及び／又は商品明細書であること、
を特徴とする配送伝票。
【請求項８】
請求項１から請求項７までのいずれか１項に記載の配送伝票において、
前記第１及び／又は第２の擬似接着層は、前記第１のシート状基材に紫外線硬化型インキ層と、熱可塑性樹脂層とを備えること、
を特徴とする配送伝票。
【請求項９】
請求項１から請求項８までのいずれか１項に記載の配送伝票において、
前記第２のシート状基材及び前記第３のシート状基材を前記第１のシート状基材に貼り合せた状態は、略全面に渡って均一な厚みであること、
を特徴とする配送伝票。
【発明の詳細な説明】
【技術分野】
【０００１】
本発明は、払込票及び商品明細書を備えた配送伝票に関するものである。
【背景技術】
【０００２】
通信販売用に、商品明細書及び／又は払込票と配送伝票とが一体となった一体型配送伝票が広く使用されるようになっている。これは、商品明細書及び／又は払込票と配送伝票とを個別に出力してから、目視や専用機材により各票の記載内容のマッチングを確認するようなこれまでの方法では、ミスマッチングを完全に防ぐことができず、お届け先に違う荷物が配送されてしまうなどの事故を撲滅できなかったために考案され、広く利用されるようになったものである。
この方法は印字時点でデータマッチングが完了しているので、ミスマッチングという事故は原則的に起こりえないが、さらに作業性を改善すべく、配送伝票と商品明細書部分との厚みの差による印字不良や用紙架け替え回数を抑制するために「フラットタイプ」と呼ばれる新形態を考案し、一般市場に流通している。
【０００３】
また、一部の通信販売では商品明細書を箱の中に同梱させたくない（例えば、家電製品）といった要求もあり、すでに配送伝票と一緒に商品明細書を箱の外側に貼り込む形態についても考案され、同様に一般市場に流通している（例えば、特許文献１）。
特許文献１は、荷物に貼り付けられた配送伝票が形成した袋状のポケットに、商品明細書を封入する配送伝票である。しかし、配送伝票と商品明細書等を一体化させても、結局はミシン目等で商品明細書を分離して、上述したポケットや荷物そのものに収める作業があり、ミシン目で分割した段階で配送伝票と商品明細書とのミスマッチングを起こす危険性がある。そのような中で、一般市場より通信販売における商品の代金を支払う「払込票」を、一体化して箱の外側に貼りこみたい旨の要求が生じてきた。
【０００４】
通信販売業者としては、作業者の作業手順を守らせるように徹底し、またバーコード検証装置等を利用してミスマッチングの防止を図っているが、新製品発売等により一時的に荷物が多くなり、捌かなければならない量が増加した場合等には、作業手順違反が起こり、結果的にミスマッチングなどの事故に至るという場合が少なくなかった。
つまり、払込票までも一体的にして箱の外側に貼りたい、という要求は、箱を開梱したくない、ということではなく、配送伝票と商品明細書とを、一時的にでも分離したくない、ということが真の狙いである。
【０００５】
これまでは商品明細書が一体化されたものまでしかないのは、郵政公社（登録商標）又は信販会社等の定めた「払込票」の仕様が厳格だから実現していなかった。例えば、払込票自体はスキャナで読み取りを行うため、印刷の色や濃度も厳格に定められており、さらに裏面は表面の読み取り精度を確保するために、規定外の濃度のインキで印刷したり、汚したりしてもいけないことになっている。また、使用可能な用紙もＯＣＲ紙または上質紙の＜７０＞（７０ｋｇ/四六≒８１．４ｇ／ｍ２）と定められており、表面に光沢のあるコート紙等の使用は禁止となっている。発明者は、過去に表面の読み取り精度を妨げないよう無色透明な剥離インキで剥離可能な構造を設け、剥離可能な払込票の実現性を確認したことがあるが、当該剥離インキの影響により、スキャナにおいての給紙不良が発生して実用化に至らなかったことがある。
しかし、保護基材を設けない状態で箱の外側に裏面が露出したまま払込票を貼ることは、裏面を汚損したときに、表面の読み取り精度に影響を与えてしまう問題を起こす可能性がある。
また、保護基材と払込票とが貼り合わせられない状態で重なっているとプリンタでの印字時点で印字欠け等が起こる危険性がある。
【特許文献１】特開２００５−２８８９９０号公報
【発明の開示】
【発明が解決しようとする課題】
【０００６】
本発明の課題は、払込票を汚損することなく商品明細書とともに一体化して配送することができる配送伝票を提供することである。
【課題を解決するための手段】
【０００７】
本発明は、以下のような解決手段により、前記課題を解決する。なお、理解を容易にするために、本発明の実施形態に対応する符号を括弧内に付して説明するが、これに限定されるものではない。
請求項１の発明は、第１の剥離基材部（２１）、第１の情報基材部（２２）、結合基材部（２３）、第２の情報基材部（２４）、封緘基材部（２５）及び伝票基材部（２６）が連接し、前記第１及び第２の情報基材部（２２、２４）の片面に情報表示部（２２−１、２４−１）を有した第１のシート状基材（２０）と、前記第１の剥離基材部（２１）の前記情報表示部（２２−１、２４−１）とは反対側に設けられた剥離層（２１−１）を介して設けられた第１の接着層（４１）と、前記第１の情報基材部（２２）の前記情報表示部（２２−１、２４−１）とは反対側に設けられた第１の擬似接着層（４２）と、前記結合基材部（２３）の前記情報表示部（２２−１、２４−１）とは反対側に設けられた第２の接着層（４３）と、前記第２の情報基材部（２４）及び前記封緘基材部（２５）の前記情報表示部（２２−１、２４−１）とは反対側に設けられた第２の擬似接着層（４４）と、前記伝票基材部（２６）の前記情報表示部（２２−１、２４−１）とは反対側に設けられた第３の接着層（４５、４６）と、前記第１の接着層（４１）、前記第１の擬似接着層（４２）及び前記第２の接着層（４３）に貼り合わされる第２のシート状基材（５０）と、前記第２の擬似接着層（４４）及び前記第３の接着層（４５、４６）に貼り合わされる第３のシート状基材（６０）とを備える配送伝票（１０）である。
【０００８】
請求項２の発明は、請求項１に記載の配送伝票（１０）において、前記第１の剥離基材部（２１）を前記剥離層（２１−１）により前記第２のシート状基材（５０）から剥がし、前記第１の情報基材部（２２）及び前記結合基材部（２３）と、前記第２の情報基材部（２４）及び封緘基材部（２５）とを、前記情報表示部（２２−１、２４−１）を隠蔽するように折り重ねて、前記第１の接着層（４１）により封緘する第１の形態をとることを特徴とする配送伝票（１０）である。
【０００９】
請求項３の発明は、請求項２に記載の配送伝票（１０）において、前記第１の形態の折り重ねた前記第１の情報基材部（２２）、前記結合基材部（２３）、前記第２の情報基材部（２４）及び前記封緘基材部（２５）を、前記第３のシート状基材（６０）から剥がし、前記第１の接着層（４１）により接着された前記第２のシート状基材（５０）の一部及び前記封緘基材部（２５）を切り取り、前記第１及び第２の情報基材部（２２、２４）を見開いて、前記第１の情報基材部（２２）を前記第２のシート状基材（５０）から剥離する第２の形態をとることを特徴とする配送伝票（１０）である。
【００１０】
請求項４の発明は、請求項１から請求項３までのいずれか１項に記載の配送伝票（１０）において、前記伝票基材部（２６）は、配達票（２６−１）及び貼付票（２６−２）を備えることを特徴とする配送伝票（１０）である。
【００１１】
請求項５の発明は、請求項４に記載の配送伝票（１０）において、前記配達票（２６−１）に設けられた第３の接着層（４５）は、擬似接着層であり、前記貼付票（２６−２）に設けられた第３の接着層（４６）は、強接着層であることを特徴とする配送伝票（１０）である。
【００１２】
請求項６の発明は、請求項１から請求項５までのいずれか１項に記載の配送伝票（１０）において、前記第３のシート状基材（６０）はタックシートであることを特徴とする配送伝票（１０）である。
【００１３】
請求項７の発明は、請求項１から請求項６までのいずれか１項に記載の配送伝票（１０）において、前記第１の情報基材部（２２）は、払込票及び／又は商品明細書であり、前記第２の情報基材部（２４）は、払込票及び／又は商品明細書であることを特徴とする配送伝票（１０）である。
【００１４】
請求項８の発明は、請求項１から請求項７までのいずれか１項に記載の配送伝票（１０）において、前記第１及び／又は第２の擬似接着層（４２、４４）は、前記第１のシート状基材（２０）に紫外線硬化型インキ層と、熱可塑性樹脂層とを備えることを特徴とする配送伝票（１０）である。
【００１５】
請求項９の発明は、請求項１から請求項８までのいずれか１項に記載の配送伝票（１０）において、第２のシート状基材（５０）及び第３のシート状基材（６０）を前記第１のシート状基材（２０）に貼り合せた状態は、略全面に渡って均一な厚みであることを特徴とする配送伝票（１０）である。
【発明の効果】
【００１６】
以上説明したように、本発明によれば、以下のような効果がある。
（１）配送伝票は、伝票基材部、第１の情報基材部及び第２の情報基材部を第１のシート状基材に備えているので、各基材部の記載内容を容易に照合することができる。
（２）配送伝票は、第１及び第２の情報基材部を折り重ねて封緘した第１の形態をとるので、配送伝票を配送するときに、第１及び第２の情報基材部の情報表示部を隠蔽するのとともに、第１及び第２の情報基材部を汚損することなく配送することができる。
（３）配送伝票は、第２の形態をとるので、第１の形態で配送された配送伝票は、第１及び第２の情報基材部を見開くことができ、また、第１の情報基材部を剥離することができる。
【００１７】
（４）伝票基材部は、配達票及び貼付票を備え、配達票の第３の接着層は擬似接着層であるので、配達票は配達後に第３のシート状基材から剥がすことができる。
（５）第３のシート状基材は、タックシートであるので、配送伝票を容易に荷物に貼り付けることができる。
【００１８】
（６）第１の情報基材部は、払込票又は商品明細書であり、第２の情報基材部は、払込票又は商品明細書であるので、払込票及び商品明細書を配送伝票に一体化させることができる。
（７）第１及び／又は第２の擬似接着層は、第１のシート状基材に紫外線硬化型インキ層と、熱可塑性樹脂層とを備えているので、擬似的な接着剤を容易に実現することができる。
（８）第２のシート状基材及び第３のシート状基材を第１のシート状基材に貼り合せた状態は、略全面に渡って均一な厚みであるので、配送伝票の厚みを均一にすることができ、プリンタに投入した際の紙詰まりを防止することができる。
【発明を実施するための最良の形態】
【００１９】
本発明は、払込票を汚損することなく商品明細書とともに一体化して配送することができる配送伝票を提供するという目的を、情報表示部を備えた第１及び第２の情報基材部を備え、第２及び第３のシート状基材と重ね合わせた第１のシート状基材を、第１及び第２の情報基材部の情報表示部が隠蔽されるようにして、折り重ねて封緘する第１の形態を取ることにより実現する。
【実施例】
【００２０】
以下、図面等を参照して、本発明の実施例をあげて、さらに詳しく説明する。
図１は、本発明による実施例の配送伝票の詳細を示す図である。なお、図１（Ｂ）は、図１（Ａ）の側面図である。図２は、配送伝票を第１の形態に変化させる流れを示す図であり、図３は、配送伝票を第２の形態に変化させる流れを示す図である。
配送伝票１０は、通信販売で注文された商品１００を配送する配送票と、商品１００の代金の支払いに使用される払込票２２及び商品明細書２４とを一体化した配送伝票であり、図１に示すように、第１のシート状基材２０、接着層群４０、第２のシート状基材５０及び第３のシート状基材６０から構成されている。
【００２１】
第１のシート状基材２０は、第１の剥離基材部２１、払込票２２、結合基材部２３、商品明細書２４、封緘基材部２５及び伝票基材部２６が連接された上質紙である。
第１の剥離基材部２１は、裏面に剥離層２１−１を介して第１の接着層４１が設けられ、第１の接着層４１の接着面を保護する基材である。
払込票２２は、商品１００の購入代金を特定の金融機関などに支払うことができる伝票であり、表面に支払い内容を表示する払込情報欄２２−１が設けられ、裏面に第１の擬似接着層４２が設けられている。
結合基材部２３は、裏面に第２の接着層４３が設けられ、第２のシート状基材５０に接着される結合部である。
【００２２】
商品明細書２４は、購入した商品１００の詳細を記載した明細書であり、表面に明細記載欄２４−１が設けられ、裏面に第２の擬似接着層４４が設けられている。
封緘基材部２５は、払込票２２及び商品明細書２４を折込線３５により折り重ねて、第１の接着層４１と接着される基材部であり、裏面に第２の擬似接着層４４が設けられている。
伝票基材部２６は、商品１００を配送するときに使用される伝票であり、分割線３４を挟んで配達票２６−１及び貼付票２６−２を備えている。
配達票２６−１は、配達後に配達業者で保管する配達完了を証明する伝票であり、表面に配達内容を記載する配達情報欄２６−１１が印刷され、裏面に第３の擬似接着層４５が設けられている。
貼付票２６−２は、商品１００に剥離不可能に貼り付けられる伝票であり、表面に配達内容を記載する配達情報欄２６−２１が印刷され、裏面に第３の接着層４６が設けられている。
【００２３】
分離線３１は、第１の剥離基材部２１及び払込票２２の間に設けられたハーフカットである。
分離線３２は、払込票２２及び結合基材部２３の間に設けられたハーフカットである。
分離線３３は、封緘基材部２５及び伝票基材部２６の間に設けられたハーフカットである。
分離線３４は、配達票２６−１及び貼付票２６−２の間に設けられたハーフカットである。
折込線３５は、結合基材部２３及び商品明細書２４の間に設けられたミシン目である。
切取線３６は、商品明細書２４及び封緘基材部２５の間に設けられたミシン目である。
【００２４】
接着層群４０は、第１のシート状基材２０の各基材部（２１〜２６）の裏面に形成され、第１の接着層４１、第１の擬似接着層４２、第２の接着層４３、第２の擬似接着層４４、第３の擬似接着層４５及び第３の接着層４６であり、それぞれの接着層の厚みが均一に形成されている。
第１、第２及び第３の接着層４１、４３、４６は、再剥離不可能な強接着剤である。
第１、第２及び第３の擬似接着層４２、４４、４５は、第１のシート状基材２０の裏面から順に紫外線硬化型インキ層、熱可塑性樹脂層が積層された擬似的な接着剤であり、剥離成分をほとんど含有しない紫外線硬化型インキ層に、熱可塑性樹脂層を特定の塗布量、塗布厚に調整することにより剥離可能な特性を設けている。
【００２５】
第２のシート状基材５０は、第１の接着層４１、第１の擬似接着層４２及び第２の接着層４３を介して第１のシート状基材２０と接着され、払込票２２の裏面を保護する上質紙である。また、第１の接着層４１及び第１の擬似接着層４２の間に、ミシン目で形成された切込線５１を備える。更に、第１の擬似接着層４２との接着面に、払込票２２の使用方法などを記載した使用方法記載部５２（図３（Ｄ）参照）を備える。
第３のシート状基材６０は、タック基材６０−１、第４の接着層６０−２及び第２の剥離基材６０−３から形成されるタックシートであり、タック基材６０−１の表面が、第２の擬似接着層４４、第３の擬似接着層４５及び第３の接着層４６を介して第１のシート状基材２０と接着される。また、タック基材６０−１の表面の第２の擬似接着層４４との接着面に、お礼などのメッセージを記載するメッセージ記載部６０−１１を備える（図３（Ａ）参照）。なお、第３のシート状基材６０の厚みは、第２のシート状基材５０の厚みと同等に設定される。
【００２６】
次に、配送伝票１０の使用方法について説明する。
通信販売業者は、顧客より商品１００が注文されたら、まず、図２（Ａ）に示すように、配送伝票１０の配達票２６−１及び貼付票２６−２の配達情報欄（２６−１１、２６−２１）に配達情報を汎用のプリンタにより印刷し、同様にして、注文された商品１００の総額及び明細を、それぞれ払込情報欄２２−１及び明細記載欄２４−１に印刷する。上述したように、接着層群４０の各接着層（４１〜４６）が均一な厚みであるのとともに、隣接する第２のシート状基材５０及び第３のシート状基材６０が同等の厚みであるので、配送伝票１０の厚みは均一となり、汎用のプリンタなどによる印刷時の紙詰まりを防止することができる。また、配達情報欄（２６−１１、２６−２１）、払込情報欄２２−１及び明細記載欄２４−１が同一紙面上にあるので、記載内容のマッチングを容易に行うことができる。印刷を終えたら、第１の剥離基材部２１を分離線３１により第１のシート状基材部２０から剥がし（矢印Ａ）、第１の接着層４１を表出させる。
【００２７】
次に、払込票２２及び結合基材部２３と、それに接着された第２のシート状基材５０とを、図２（Ｂ）に示すように、折込線３５により商品明細書２４及び封緘基材部２５に、払込情報欄２２−１及び明細記載欄２４−１が向かい合うようにして折り重ねて、表出した第１の接着層４１により封緘基材部２５と接着して封緘する（矢印Ｂ、第１の形態）。封緘を終えたら、第２の剥離基材６０−３を剥がし（矢印Ｃ）、図２（Ｃ）に示すように、配送伝票１０を商品１００に貼り付けて配送業者に渡す。払込票２２及び商品明細書２４は、第２のシート状基材５０及び第３のシート状基材６０に挟まれているので、両面を汚損させることなく配送することができる。
商品１００を受け取った配送業者は、配送伝票１０の伝票基材部２６を見て、注文した顧客に商品１００を届ける。商品１００を手渡すときに、図３（Ａ）に示すように、配送伝票１０から分離線（３３、３４）により配達票２６−１を剥がして（矢印Ｄ）、顧客から配達情報欄２６−１１に受け取りの認印を貰い、会社に持ち帰る。
【００２８】
商品１００を受け取った顧客（荷受人）は、貼付票２６−２の配達情報欄２６−２１を確認し、封緘されて一体化した伝票群（払込票２２、結合基材部２３、商品明細書２４、封緘基材部２５及び第２のシート状基材５０）を、分離線３３によりタック基材６０−１から剥がす（矢印Ｅ）。次に、封緘基材部２５及び第２のシート状基材５０の端部を、図３（Ｂ）に示すように、剥がした伝票群の第１及び第２のシート状基材２０、５０に設けられた切取線３６及び切取線５１により切り離し（矢印Ｆ）、図３（Ｃ）に示すように、払込票２２及び商品明細書２４の払込情報欄２２−１及び明細記載欄２４−１を見開く（矢印Ｇ）。払込情報欄２２−１及び明細記載欄２４−１は、折り重ねられて配送されるので、記載内容を第三者に見られることを防止することができる。
明細記載欄２４−１の記載内容と商品１００とを確認したら、図３（Ｄ）に示すように、払込票２２を分割線３２により、第２のシート状基材５０から剥がし（矢印Ｈ、第２の形態）、払込票２２を剥がすことで表出する第２のシート状基材５０に印刷された使用方法記載部５２を読んで、所定の金融機関などで商品１００の代金を支払う。
【００２９】
以上より、本実施例の配送伝票１０には以下のような効果がある。
（１）配送伝票１０は、伝票基材部２６、払込票２２及び商品明細書２４を第１のシート状基材２０に備えているので、各基材部の記載内容のマッチングを容易にすることができる。
（２）配送伝票１０は、図２（Ｃ）に示すように、払込票２２及び商品明細書２４を折り重ねて封緘した第１の形態をとるので、配送伝票１０を配送するときに、払込情報欄２２−１及び明細記載欄２４−１を隠蔽するのとともに、払込票２２及び商品明細書２４を汚損することなく配送することができる。
（３）配送伝票１０は、図３（Ｄ）に示すように、第２の形態をとるので、第１の形態で配送された配送伝票１０の払込票２２及び商品明細書２４を見開くことができ、また、払込票２２を第２のシート状基材５０から剥離することができる。
【００３０】
（４）伝票基材部２６は、配達票２６−１及び貼付票２６−２を備え、配達票２６−１は第３の擬似接着層４５を有しているので、配達票２６−１は配達後に第３のシート状基材６０から剥がすことができる。
（５）第３のシート状基材６０は、タックシートであるので、配送伝票１０を容易に商品１００に貼り付けることができる。
【００３１】
（６）第１及び／又は第２の擬似接着層４２、４４は、第１のシート状基材２０に紫外線硬化型インキ層と、熱可塑性樹脂層とを備えているので、擬似的な接着剤を容易に実現することができる。
（７）図１に示すような、第２のシート状基材５０及び第３のシート状基材６０を第１のシート状基材２０に貼り合せた状態は、接着層群４０の各接着層（４１〜４６）が均一な厚みであり、また、隣接する第２のシート状基材５０及び第３のシート状基材６０が同等の厚みであるので、配送伝票１０の厚みを均一にすることができ、プリンタに投入した際の紙詰まりを防止することができる。
【００３２】
（変形例）
以上説明した実施例に限定されることなく、種々の変形や変更が可能であって、それらも本発明の均等の範囲内である。
（１）本実施例では、払込票２２が第２のシート状基材５０に貼り付けられていたが、図４（Ａ）に示すように、払込票２２及び商品明細書２４を入れ替えて配送伝票１０を構成してもよい。また、この場合の第２の形態の払込票２２の分離は、図４（Ｂ）に示すように、ミシン目で形成された折込線３５により切り離すことが可能である（矢印Ｉ）。
（２）本実施例では、１枚の配送伝票１０を汎用プリンタにて印刷したが、配送伝票１０を複数枚連接させて、連続的に印刷させることも可能である。その場合、各配送伝票１０の間にミシン目などを設けるなどして、印刷後に連接した配送伝票１０を分離させることができる。
【図面の簡単な説明】
【００３３】
【図１】本発明による実施例の配送伝票を示す図である。
【図２】本発明による実施例の第１の形態に変化させる流れを示す図である。
【図３】本発明による実施例の第２の形態に変化させる流れを示す図である。
【図４】本発明による変形例を示す図である。
【符号の説明】
【００３４】
１０  配送伝票
２０  第１のシート状基材
２１  第１の剥離基材部
２２  払込票
２３  結合基材部
２４  商品明細書
２５  封緘基材部
２６  伝票基材部
４１  第１の接着層
４２  第１の擬似接着層
４３  第２の接着層
４４  第２の擬似接着層
４５  第３の擬似接着層
４６  第３の接着層
５０  第２のシート状基材
６０  第３のシート状基材
【図１】
2008012692.tif 000003
【図２】
2008012692.tif 000004
【図３】
2008012692.tif 000005
【図４】
2008012692.tif 000006